(57)【要約】本発明はゴーグルに関し、好ましくは、眼窩外に装着されるゴーグルに関し、前記ゴーグルは上側周壁及び下側周壁をそれぞれ有する一対のレンズ部分によって定められる外面を有する。上側周壁及び下側周壁は上側周縁及び下側周縁までそれぞれ延伸し、前記周縁は、使用時に装着者の顔に接触する。前記上側周壁によって定められる前記外面は凸状である。このことで、前記ゴーグルの外側面が滑らかな曲面を提供する。【選択図】図４
2014527413.tif 000002
【特許請求の範囲】
【請求項１】
上側周縁まで延伸する上側周壁及び下側周縁まで延伸する下側周壁をそれぞれ有する一対のレンズ部分によって定められる外面を有するゴーグルであって、
前記周縁は、使用時に装着者の顔に接触し、
前記上側周壁によって定められる前記外面は凸状であるゴーグル。
【請求項２】
前記下側周壁によって定められる前記外面は凸状である請求項１に記載のゴーグル。
【請求項３】
前記各周壁によって定められる前記外面は、前記各レンズ部分によって定められる前記外面との滑らかな遷移部を形成する請求項１又は２に記載のゴーグル。
【請求項４】
前記上側周縁は、使用時に眼窩外で装着者の額に接触する請求項１から３のいずれか一つに記載のゴーグル。
【請求項５】
前記上側周壁は、使用時に装着者の額との滑らかな遷移部を形成する請求項４に記載のゴーグル。
【請求項６】
前記下側周縁は、使用時に装着者の頬骨に接触する請求項１から５のいずれか一つに記載のゴーグル。
【請求項７】
前記下側周壁は、使用時に装着者の頬との滑らかな遷移部を形成する請求項６に記載のゴーグル。
【請求項８】
前記外面は滑らかな曲面である請求項１から７のいずれか一つに記載のゴーグル。
【請求項９】
前記外面は滑らかな連続的な曲面である請求項８に記載のゴーグル。
【請求項１０】
前記ゴーグルは、使用時に装着者の眼窩を満たし、装着者の頭部を流線形にする請求項１から９のいずれか一つに記載のゴーグル。
【請求項１１】
前記上側周縁と前記下側周縁との間の最大距離は５５ｍｍより大きい請求項１から１０のいずれか一つに記載のゴーグル。
【請求項１２】
使用時に眼窩外で装着者の額に接触する上側周縁まで延伸する上側周壁、及び使用時に装着者の頬骨に接触する下側周縁まで延伸する下側周壁をそれぞれ有する一対のレンズ部分によって定められる外面を有するゴーグル。
【請求項１３】
前記上側周壁によって定められる前記外面は凸状である請求項１２に記載のゴーグル。
【請求項１４】
前記下側周壁によって定められる前記外面は凸状である請求項１３に記載のゴーグル。
【請求項１５】
前記上側周壁は、使用時に装着者の額との滑らかな遷移部を形成する請求項１２から１４のいずれか一つに記載のゴーグル。
【請求項１６】
前記下側周壁は、使用時に装着者の頬との滑らかな遷移部を形成する請求項１２から１５のいずれか一つに記載のゴーグル。
【請求項１７】
前記外面は滑らかな曲面である請求項１２から１６のいずれか一つに記載のゴーグル。
【請求項１８】
前記外面は滑らかな連続的な曲面である請求項１７に記載のゴーグル。
【請求項１９】
使用時に、前記ゴーグルは装着者の眼窩を満たし、装着者の頭部を流線形にする請求項１２から１８のいずれか一つに記載のゴーグル。
【請求項２０】
前記上側周縁と前記下側周縁との間の最大距離は５５ｍｍより大きい請求項１２から１９のいずれか一つに記載のゴーグル。
【請求項２１】
上側周縁まで延伸する上側周壁及び下側周縁まで延伸する下側周壁をそれぞれ有する一対のレンズ部分によって定められる外面を有するゴーグルであって、
前記周縁は、使用時に装着者の顔に接触し、
前記ゴーグルは、使用時に装着者の眼窩を満たし、装着者の頭部を流線形にするゴーグル。
【請求項２２】
前記上側周壁によって定められる前記外面は凸状である請求項２１に記載のゴーグル。
【請求項２３】
前記下側周壁によって定められる前記外面は凸状である請求項２２に記載のゴーグル。
【請求項２４】
前記各周壁によって定められる外面は前記各レンズ部分によって定められる外面と滑らかな遷移部を形成する請求項２１から２３のいずれか一つに記載のゴーグル。
【請求項２５】
前記上側周縁は、使用時に眼窩外で装着者の額に接触する請求項２１から２４のいずれか一つに記載のゴーグル。
【請求項２６】
前記上側周壁は、使用時に装着者の額との滑らかな遷移部を形成する請求項２５に記載のゴーグル。
【請求項２７】
前記下側周縁は、使用時に装着者の頬骨に接触する請求項２１から２６のいずれか一つに記載のゴーグル。
【請求項２８】
前記下側周壁は、使用時に装着者の頬との滑らかな遷移部を形成する請求項２７に記載のゴーグル。
【請求項２９】
前記外面は滑らかな曲面である請求項２１から２８のいずれか一つに記載のゴーグル。
【請求項３０】
前記外面は滑らかな連続的な曲面である請求項２９に記載のゴーグル。
【請求項３１】
前記上側周縁と前記下側周縁との間の最大距離は５５ｍｍよりも大きい請求項２１から３０のいずれか一つに記載のゴーグル。
【請求項３２】
上側周縁まで延伸する上側周壁及び下側周縁まで延伸する下側周壁をそれぞれ有する一対のレンズ部分によって定められる外面を有するゴーグルであって、
前記周縁は、使用時に装着者の顔に接触し、
前記上側周縁と前記下側周縁との間の最大距離は５５ｍｍよりも大きいゴーグル。
【請求項３３】
前記上側周壁によって定められる前記外面は凸状である請求項３２に記載のゴーグル。
【請求項３４】
前記下側周壁によって定められる前記外面は凸状である請求項３３に記載のゴーグル。
【請求項３５】
前記各周壁によって定められる前記外面は、前記各レンズ部分によって定められる前記外面との滑らかな遷移部を形成する請求項３２から３４のいずれか一つに記載のゴーグル。
【請求項３６】
前記上側周縁は、使用時に眼窩外で装着者の額に接触する請求項３２から３５のいずれか一つに記載のゴーグル。
【請求項３７】
前記上側周壁は、使用時に装着者の額との滑らかな遷移部を形成する請求項３６に記載のゴーグル。
【請求項３８】
前記下側周縁は、使用時に装着者の頬骨に接触する請求項３２から３７のいずれか一つに記載のゴーグル。
【請求項３９】
前記下側周壁は、使用時に装着者の頬との滑らかな遷移部を形成する請求項３８に記載のゴーグル。
【請求項４０】
前記外面は滑らかな曲面である請求項３２から３９のいずれか一つに記載のゴーグル。
【請求項４１】
前記外面は滑らかな連続的な曲面である請求項４０に記載のゴーグル。
【請求項４２】
前記ゴーグルは、使用時に装着者の眼窩を満たし、装着者の頭部を流線形にする請求項３２から４１のいずれか一つに記載のゴーグル。
【請求項４３】
上側周縁まで延伸する上側周壁及び下側周縁まで延伸する下側周壁をそれぞれ有する一対のレンズ部分によって定められる外面を有するゴーグルであって、
前記周縁は、使用時に装着者の顔に接触し、
前記外面は滑らかな曲面であるゴーグル。
【請求項４４】
前記外面は滑らかな連続的な曲面である請求項４３に記載のゴーグル。
【請求項４５】
前記外面は凸面である請求項４４に記載のゴーグル。
【請求項４６】
前記上側周縁は、使用時に眼窩外で装着者の額に接触する請求項４３から４５のいずれか一つに記載のゴーグル。
【請求項４７】
前記上側周壁は、使用時に装着者の額との滑らかな遷移部を形成する請求項４６に記載のゴーグル。
【請求項４８】
前記下側周縁は、使用時に装着者の頬骨に接触する請求項４３から４７のいずれか一つに記載のゴーグル。
【請求項４９】
前記下側周壁は、使用時に装着者の頬との滑らかな遷移部を形成する請求項４８に記載のゴーグル。
【請求項５０】
前記ゴーグルは、使用時に装着者の眼窩を満たし、装着者の頭部を流線形にする請求項４３から４９のいずれか一つに記載のゴーグル。
【請求項５１】
前記上側周縁と前記下側周縁との間の最大距離は５５ｍｍよりも大きい請求項４３から５０のいずれか一つに記載のゴーグル。
【請求項５２】
各レンズ部分は、使用時に装着者の顔に対して気密を形成する各内周縁まで延伸する内周壁を更に含む請求項１から５１のいずれか一つに記載のゴーグル。
【請求項５３】
上側周壁及び下側周壁をそれぞれ有する一対のレンズ部分によって定められる外面を有するゴーグルであって、
各レンズ部分は、使用時に装着者の顔に対する気密を形成する各内周縁まで延伸する内周壁を更に含み、
前記上側周壁によって定められる前記外面は凸状であるゴーグル。
【請求項５４】
前記下側周壁によって定められる前記外面は凸状である請求項５３に記載のゴーグル。
【請求項５５】
前記各周壁によって定められる前記外面は、前記各レンズ部分によって定められる前記外面との滑らかな遷移部を形成する請求項５３又は５４に記載のゴーグル。
【請求項５６】
前記外面は滑らかな曲面である請求項５３から５５のいずれか一つに記載のゴーグル。
【請求項５７】
前記外面は滑らかな連続的な曲面である請求項５６に記載のゴーグル。
【請求項５８】
前記ゴーグルは、使用時に装着者の眼窩を満たし、装着者の頭部を流線形にする請求項５３から５７のいずれか一つに記載のゴーグル。
【請求項５９】
上側周壁及び下側周壁をそれぞれ有する一対のレンズ部分によって定められる外面を有するゴーグルであって、
各レンズ部分は、使用時に装着者の顔に対する気密を形成する各内周縁まで延伸する内周壁を更に含み、
前記外面は滑らかな曲面であるゴーグル。
【請求項６０】
前記外面は滑らかな連続的な曲面である請求項５９に記載のゴーグル。
【請求項６１】
前記外面は凸面である請求項６０に記載のゴーグル。
【請求項６２】
前記ゴーグルは、使用時に装着者の眼窩を満たし、装着者の頭部を流線形にする請求項５９から６１のいずれか一つに記載のゴーグル。
【請求項６３】
使用時に、装着者の鼻孔は覆われないままである請求項１から６２のいずれか一つに記載のゴーグル。
【請求項６４】
前記レンズ部分は、剛性のノーズブリッジによって互いに接合される請求項１から６３のいずれか一つに記載のゴーグル。
【発明の詳細な説明】
【技術分野】
【０００１】
本発明はゴーグルに関する。特に、本願は、装着者が移動するときの抗力／抵抗を低減するように装着者の頭部を流線形にするゴーグルに関する。
【背景技術】
【０００２】
装着者の目を保護し、及び／又は視覚を改善するために装着者がゴーグルを着用することが望ましい場合がある。例えば、泳者は、ゴーグルを着用し、装着者の目に水が触れることを防止することができる。これは、不快感を生じ、装着者の視覚を損なう可能性があるためである。
【０００３】
水泳用ゴーグルは通常、後方まで延伸して装着者の顔との気密を形成する壁によって囲まれている一対の前部レンズ部分を有する。気密は、装着者の目と水との接触を最小限にする。
【０００４】
競泳選手は、スピードを速くするために水中を移動するときの抗力／水の抵抗を最小限にすることを望んでいる。既知のゴーグルは、装着者の顔から突出しているため抗力／水の抵抗を増大させ、壁は、水が衝突する表面を形成し、したがって抗力／水の抵抗を生じる。壁に対する水の衝突によって、ゴーグルが外れる可能性があり、したがって装着者の顔の気密が損なわれ、ゴーグル内へ水が望ましくない浸入をする。
【発明の概要】
【発明が解決しようとする課題】
【０００５】
本発明の目的は、装着者が水中を移動するときの抗力／水の抵抗を最小限に抑え、（ヘッドストラップがなくても）ゴーグルが外れる可能性を最小限に抑え、それによって水の浸入を最小限に抑えるゴーグルを提供することである。
【課題を解決するための手段】
【０００６】
第１の態様では、本発明は、上側周縁まで延伸する上側周壁及び下側周縁まで延伸する下側周壁をそれぞれ有する一対のレンズ部分によって定められる外面を有するゴーグルであって、前記周縁は使用時に装着者の顔に接触し、上側周壁によって定められる外面（すなわち、装着者に面しない、使用時に水に接する面）が凸状であるゴーグルを提供する。
【０００７】
多くの既知のゴーグルは、実質的に平面的な上側周壁を有し、これは、必然的にレンズ部分に実質的に９０度で、レンズ部分から後方に延伸する。これは、かなりの水の抵抗を生じる突き出た前縁が現れる。凸状の外面を有する上側周壁を設けることによって、水が上側周壁に沿って滑らかに流れることができるため、装着者が水中を移動するときの抗力／水の抵抗を低減することができる。
【０００８】
好ましくは、上側周壁及び下側周壁の双方によって定められる外面が凸状である。このことは、装着者が水中を移動するときに水が下側周壁に沿って滑らかに流れるため、水の抵抗を更に低減するのに役立つ。
【０００９】
本発明者は、ゴーグルに沿ったこのような水の滑らかな流れは、装着者が水中を移動するときのゴーグルの位置ズレの可能性を最小限に抑えるのに役立つことを見出した。凹状の上側周壁を有するゴーグルは、水が上側周壁に沿ってレンズ部分から離れるように流れるためこの効果を奏さず、一方で、凸状の壁部分では、水がレンズ部分に沿って流れ、その後下側周壁の周りを流れることによって、ゴーグルを顔に向かって押し付ける力を提供する。本発明者は、この効果が、ヘッドストラップを用いることなく、装着者の顔にゴーグルを保持するのに十分であることを見出した。
【００１０】
好ましい実施形態では、各周壁によって定められる外面は、各レンズ部分によって定められる外面との滑らかな遷移部を形成し、すなわち、周壁は、連続的な／滑らかな曲面によってレンズ部分（湾曲した又は平面的な外面を有してもよい）と接合し、周壁と各レンズ部分との間には急な角度変化がない。多くの既知のゴーグルは、レンズ部分にほぼ垂直に延伸する周壁を有するため、周壁とレンズ部分との間の接合部は滑らか／連続的に湾曲しておらず、急な角度が付いた接合部が存在する。この急な角度が付いた接合部は、使用中に水がゴーグルに沿って流れるときに乱流状態を生じる可能性を作り出す。
【００１１】
より好ましくは、外面は滑らかな曲面である。例えば、レンズ部分が湾曲した外面を有する場合、ゴーグルの外面は連続的な曲面である。前述したように、この滑らかな曲面は、ゴーグルを装着者の顔に押し付け、ゴーグルの外れを防止するように、ゴーグルに沿った滑らかな水の流れを助ける。
【００１２】
好ましくは、上側周縁は使用時に眼窩外で装着者の額に接触する。好ましくは、下側周縁は装着者の頬骨に接触する。（装着者の眼窩内において装着者に接触する眼窩内ゴーグルとは対照的な）眼窩外ゴーグルを提供することによって、装着者の眼窩を実質的に満たすゴーグルを提供することができ、これは凹部を最小限に抑えることで水の乱流が生じる可能性のある領域を最小限に抑える。したがって、このことは、水の抵抗、及びゴーグルが外れる可能性を低減するのに役立つ。
【００１３】
好ましい実施形態では、上側周縁と下側周縁との間の最大距離は少なくとも５５ｍｍであり、好ましくは約６０ｍｍである。これは、既知のゴーグルより大幅に長い。周縁間により長くすることによって、前縁の突き出しを更に低減するのに役立ち、浅く湾曲している凸状の上側周壁を設けることができる。そして、乱流を更に低減するのに役立ち、水の抵抗及びゴーグルが外れる可能性を最小限に抑える。
【００１４】
好ましくは、上側周壁は使用時に装着者の額との滑らかな遷移部を形成し、すなわち、使用時に装着者の額及び上側周壁は滑らかな／連続的な曲面を形成する。前述したように、多くの既知のゴーグルはレンズ部分からほぼ垂直に延伸する周壁を有する。レンズ部分は装着者の顔に概ね垂直であるため、このことは、一般的には、周壁が装着者の顔（通常は装着者の額の真下、すなわち眼窩内）に直角に当接することを意味する。これは、乱流を増大させるとともに、ゴーグルが装着者の顔から外れる可能性を高める非常に突き出た前縁が現れる。したがって、眼窩外で装着者の額に接触して、装着者の額との滑らかな遷移部を形成する上側周縁を設けることによって、ゴーグルに突き出た前縁が現れないため、上側周壁に沿った水の流れを最大限に滑らかにすることができる。
【００１５】
さらに、好ましくは、下側周壁が使用時に装着者の頬骨との滑らかな遷移部を形成し、すなわち、使用時に装着者の頬及び下側周壁が滑らかな／連続的な曲面を形成する。前述したように、多くの既知のゴーグルは装着者の眼窩内で顔に直角に当接する周壁を有する。乱流及び抗力を増大させる大きく凹状になった後縁が現れる。したがって、眼窩外で装着者の頬に接触し、装着者の頬との滑らかな遷移部を形成する下側周縁を設けることによって、下側周壁に沿った水の流れを最大限に滑らかにすることができる。
【００１６】
第２の態様では、本発明は、使用時に眼窩外で装着者の額に接触する上側周縁まで延伸する上側周壁、及び使用時に装着者の頬骨に接触する下側周縁まで延伸する下側周壁をそれぞれ有する一対のレンズ部分によって定められる外面を有するゴーグルを提供する。
【００１７】
（装着者の眼窩内において装着者に接触する眼窩内ゴーグルと対照的な）眼窩外ゴーグルを提供することによって、装着者の眼窩を実質的に満たすゴーグルを提供することができ、これは凹部を最小限に抑えることで水の乱流が生じる可能性のある領域を最小限に抑える。したがって、このことは、ゴーグルに沿った滑らかな水の流れを生じることにより、水の抵抗及びゴーグルが外れる可能性を低減するのに役立つ。
【００１８】
通常、上側周縁と下側周縁との間の最大距離は少なくとも５５ｍｍであり、好ましくは約６０ｍｍである。これは、既知のゴーグルより大幅に長い。周縁間をより長くすることによって、装着者の眼窩を満たし、装着者の頭部を流線形にすることができる。このことは、前縁の突き出しを更に低減するのに役立ち、したがって乱流を更に低減するのに役立ち、水の抵抗及びゴーグルが外れる可能性を最小限に抑える。
【００１９】
好ましくは、前記外面は滑らかな曲面であり、すなわち周壁は各レンズ部分との滑らかな遷移部を形成し、すなわち周壁は、レンズ部分（湾曲した又は平面的な外面を有してもよい）と、連続的な／滑らかな曲面によって接合し、及び／又は周壁と各レンズ部分との間には急な角度変化がない。多くの既知のゴーグルは、レンズ部分からほぼ垂直に延伸する周壁を有するため、周壁とレンズ部分との間の接合部は滑らかに／連続的に湾曲しておらず；急な角度が付いた接合部が存在する。この急な角度が付いた接合部は、使用中にゴーグルに沿って水が流れるときに乱流状態を生じる可能性を作り出す。
【００２０】
好ましくは、上側周壁によって定められる外面は凸状であり、最も好ましくは、上側周壁及び下側周壁の双方によって定められる外面は凸状である。周壁の凸状の湾曲は、第１の態様に関連して前述したように滑らかな水の流れを容易にする。
【００２１】
好ましくは、使用時に、上側周壁は装着者の額と滑らかな遷移部を形成し、及び／又は下側周壁は装着者の頬との滑らかな遷移部を形成する。第１の態様に関連して前述したように、眼窩外で装着者の額に接触して装着者の額との滑らかな遷移部を形成する上側周縁を設けることによって、そのような突き出た前縁がゴーグルに現れないため、上側周壁に沿った水の流れを最大限に滑らかにすることができる。さらに、眼窩外で装着者の頬に接触して装着者の頬との滑らかな遷移部を形成する下側周縁を設けることによって、下側周壁に沿った水の流れを最大限に滑らかにすることができる。
【００２２】
第３の態様では、本発明は、上側周縁まで延伸する上側周壁及び下側周縁まで延伸する下側周壁をそれぞれ有する一対のレンズ部分によって定められる外面を有するゴーグルであって、前記周縁は使用時に装着者の顔に接触し、使用時に、ゴーグルが装着者の眼窩を満たし、装着者の頭部を流線形にするゴーグルを提供する。
【００２３】
多くの既知のゴーグルは装着者の眼窩を満たさず、その代わりに眼窩内に置かれる。このことは、（眼窩による）凹部が残っており、これらが、水中の移動に対する抵抗として作用し、ゴーグルを外す可能性がある乱流か又は少なくともゴーグルの水密性を損なう可能性のある乱流を生じることを意味する。好ましくは、装着者の顔に眼窩外に装着することによって、装着者の眼窩を満たすゴーグルを提供する。これによって、これらの凹部を排除し、したがって水の乱流を低減することができる。これは、ゴーグルに沿った水の滑らかな流れを可能にする。
【００２４】
好ましい実施形態では、使用時に、上側周縁は眼窩外で装着者の額に接触し、及び／又は下側周縁は装着者の頬骨に接触する。（装着者の眼窩内において装着者に接触する眼窩内ゴーグルと対照的な）眼窩外ゴーグルを提供することによって、装着者の眼窩を実質的に満たすゴーグルを提供することができ、これは凹部を最小限に抑えることで水の乱流が生じる可能性のある領域を最小限に抑える。したがって、このことは、水の抵抗及びゴーグルが外れる可能性を低減するのに役立つ。
【００２５】
通常、上側周縁と下側周縁との間の最大距離は少なくとも５５ｍｍであり、好ましくは約６０ｍｍである。これは、既知のゴーグルより大幅に長い。周縁間の長さをより長くすることによって、装着者の眼窩を満たし、装着者の頭部を流線形にすることができる。このことは、前縁の突き出しを更に低減するのに役立ち、したがって乱流を更に低減するのに役立ち、水の抵抗及びゴーグルが外れる可能性を最小限に抑える。
【００２６】
好ましくは、上側周壁によって定められる外面は凸状であり、最も好ましくは、上側周壁及び下側周壁の双方によって定められる外面は凸状である。周壁の凸状の湾曲は、第１の態様に関連して前述したように滑らかな水の流れを容易にする。
【００２７】
好ましくは、各周壁によって定められる外面は、各レンズ部分によって定められる外面との滑らかな遷移部を形成し、すなわち、周壁は、レンズ部分（湾曲した又は平面的な外面を有してもよい）と、連続的な／滑らかな曲面によって接合し、周壁と各レンズ部分との間には急な角度変化がない。前述したように、多くの既知のゴーグルは、レンズ部分からほぼ垂直に延伸する周壁を有するため、周壁とレンズ部分との間の接合部は急峻であり角度が付いている。この急な角度が付いた接合部は、使用中に水がゴーグルに沿って流れるときに乱流状態を生じる可能性を作り出す。
【００２８】
好ましくは、外面は滑らかな曲面である。例えば、レンズ部分が湾曲した外面を有する場合、ゴーグルの外面は連続的な曲面である。この滑らかな曲面は、ゴーグルが外れることを防止するのに役立つように、ゴーグルに沿った水の滑らかな流れを容易にする。最も好ましくは、外面は滑らかな連続的な凸面である。
【００２９】
最も好ましくは、上側周壁は装着者の額との滑らかな遷移部を形成し、下側周壁は装着者の頬との滑らかな遷移部を形成する。したがって、第１の態様に関連して前述したように、眼窩外で装着者の額に接触して装着者の額との滑らかな遷移部を形成する上側周縁を設けることによって、そのような突き出た前縁がゴーグルに現れないため、上側周壁に沿った水の流れを最大限に滑らかにすることができる。（周壁が装着者の顔に実質的に９０度で接触する既知のゴーグルと異なり）眼窩外で装着者の頬に接触して装着者の頬との滑らかな遷移部を形成する下側周縁を設けることによって、下側周壁に沿った水の流れを最大限に滑らかにすることができる。
【００３０】
第４の態様では、本発明は、上側周縁まで延伸する上側周壁及び下側周縁まで延伸する下側周壁をそれぞれ有する一対のレンズ部分によって定められる外面を有するゴーグルであって、使用時に、前記周縁は装着者の顔に接触し、上側周縁と下側周縁との間の最大距離は５５ｍｍよりも大きいゴーグルを提供する。好ましくは、上側周縁と下側周縁との間の最大距離は約６０ｍｍである。
【００３１】
これ（５５ｍｍ）は、既知のゴーグルより大幅に長い。周縁間をより長くすることによって、装着者の眼窩を満たし、装着者の頭部を流線形にすることができる。このことは、上側周壁に現れる前縁の突き出しを低減するのに役立ち、したがって乱流を更に低減するのに役立ち、ゴーグルに沿った水の滑らかな流れを提供することによって水の抵抗及びゴーグルが外れる可能性を最小限に抑える。
【００３２】
好ましい実施形態では、使用時に、上側周縁は眼窩外で装着者の額に接触し、及び／又は下側周縁は装着者の頬骨に接触する。（装着者の眼窩内において装着者に接触する眼窩内ゴーグルと対照的な）眼窩外ゴーグルを提供することによって、装着者の眼窩を実質的に満たすゴーグルを提供することができ、これは凹部を最小限に抑えることで水の乱流が生じる可能性のある領域を最小限に抑える。したがって、このことは、水の抵抗及びゴーグルが外れる可能性を低減するのに役立つ。
【００３３】
最も好ましくは、上側周壁は装着者の額との滑らかな遷移部を形成し、下側周壁は装着者の頬との滑らかな遷移部を形成する。したがって、第１の態様に関連して前述したように、眼窩外で装着者の額に接触して装着者の額との滑らかな遷移部を形成する上側周縁を設けることによって、ゴーグルにそのような突き出た前縁が現れないため、上側周壁に沿った水の流れを最大限に滑らかにすることができる。（周壁が装着者の顔に実質的に９０度で接触する既知のゴーグルと異なり）眼窩外で装着者の頬に接触して装着者の頬との滑らかな遷移部を形成する下側周縁を設けることによって、下側周壁に沿った水の流れを最大限に滑らかにすることができる。
【００３４】
好ましくは、上側周壁によって定められる外面は凸状であり、最も好ましくは、上側周壁及び下側周壁の双方によって定められる外面は凸状である。周壁の凸状の湾曲は、第１の態様に関連して前述したように滑らかな水の流れを容易にする。
【００３５】
好ましくは、各周壁によって定められる外面は、各レンズ部分によって定められる外面との滑らかな遷移部を形成し、すなわち、周壁は、レンズ部分（湾曲した又は平面的な外面を有してもよい）と、連続的な／滑らかな曲面によって接合し、周壁と各レンズ部分との間には急な角度変化がない。前述したように、多くの既知のゴーグルは、レンズ部分からほぼ垂直に延伸する周壁を有するため、周壁とレンズ部分との間の接合部は急峻であり角度が付いている。この急峻な角度が付いた接合部は、使用中に水がゴーグルに沿って流れるときに乱流状態を生じる可能性を作り出す。
【００３６】
好ましくは、外面は滑らかな曲面である。例えば、レンズ部分が湾曲した外面を有する場合、ゴーグルの外面は連続的な曲面である。この滑らかな曲面は、ゴーグルを装着者の顔に押し付け、ゴーグルが外れることを防止するのに役立つように、ゴーグルに沿った水の滑らかな流れを容易にする。最も好ましくは、外面は滑らかな連続的な凸状の曲面である。
【００３７】
第５の態様では、本発明は、上側周縁まで延伸する上側周壁及び下側周縁まで延伸する下側周壁をそれぞれ有する一対のレンズ部分によって定められる外面を有するゴーグルであって、使用時に、前記周縁は装着者の顔に接触し、外面は滑らかな曲面であるゴーグルを提供する。
【００３８】
上側周壁及び下側周壁によって形成される外面（すなわち、使用時に装着者に面しない面）は、各レンズ部分によって形成される外面との滑らかな遷移部を形成し、すなわち、周壁は、レンズ部分（湾曲した又は平面的な外面を有してもよい）と、滑らかな曲面によって接合し、周壁と各レンズ部分との間には急な角度変化がない。多くの既知のゴーグルは、レンズ部分からほぼ垂直に延伸する周壁を有するため、周壁とレンズ部分との間の接合部は滑らかに／連続的に湾曲しておらず；急な角度が付いた接合部が存在する。この急な角度が付いた接合部は、使用中に水がゴーグルに沿って流れるときに乱流状態を生じる可能性を作り出す。本発明の第５の態様によって提供される滑らかに湾曲した外面は、ゴーグルを装着者の顔に押し付け、ゴーグルが外れることを防止するのに役立つように、ゴーグルに沿った水の滑らかな流れを容易にする。滑らかな曲面は、抗力／水の抵抗を最小限に抑える流線形のゴーグルを提供するのにも役立つ。
【００３９】
好ましくは、滑らかな曲面は連続的な曲面であり、すなわち、レンズ部分、上側周壁及び下側周壁は全て湾曲している。
【００４０】
好ましくは、滑らかな曲面は凸状の曲面である。多くの既知のゴーグルは実質的に平面的な周壁を有し、必然的に、レンズ部分に実質的に９０度でレンズ部分から後方に延伸する。これによって、かなりの水の抵抗を生じる突き出た前縁が現れる。ゴーグルの滑らかに湾曲した凸状の外面を設けることによって、水が上側周壁に沿って滑らかに流れることができるため、装着者が水中を移動するときの抗力／水の抵抗を低減することができる。
【００４１】
好ましくは、使用時に、上側周縁は眼窩外で装着者の額に接触する。好ましくは、下側周縁は装着者の頬骨に接触する。（装着者の眼窩内において装着者に接触する眼窩内ゴーグルとは対照的な）眼窩外ゴーグルを提供することによって、装着者の眼窩を実質的に満たすゴーグルを提供することができ、凹部を最小限に抑えることで水の乱流が生じる可能性のある領域を最小限に抑える。したがって、このことは、水の抵抗、及びゴーグルが外れる可能性を低減するのに役立つ。
【００４２】
好ましい実施形態では、上側周縁と下側周縁との間の最大距離は少なくとも５５ｍｍであり、好ましくは約６０ｍｍである。これは、既知のゴーグルより大幅に長い。周縁間により長い距離を設けることによって、浅く湾曲している上側周壁及び下側周壁を設けることができ、前縁の突き出しを更に低減するのに役立つ。よって、乱流を更に低減するのに役立ち、水の抵抗及びゴーグルが外れる可能性を最小限に抑える。
【００４３】
使用時に、上側周壁は装着者の額との滑らかな遷移部を形成し、すなわち、使用時に、装着者の額及び上側周壁は滑らかな／連続的な曲面を形成することが好ましい。前述したように、多くの既知のゴーグルはレンズ部分からほぼ垂直に延伸する周壁を有する。レンズ部分は装着者の顔に概ね垂直であるため、一般的には、周壁が装着者の顔（通常は装着者の額の真下、すなわち眼窩内）に直角で当接することを意味する。このため、乱流を増大させ、かつゴーグルが装着者の顔から外れる可能性を高める非常に突き出た前縁が現れる。したがって、眼窩外で装着者の額に接触して装着者の額との滑らかな遷移部を形成する上側周縁を設けることによって、そのような突き出た前縁がゴーグルに現れないため、上側周壁に沿った水の流れを最大限に滑らかにすることができる。
【００４４】
さらに、使用時に、下側周壁が装着者の頬骨との滑らかな遷移部を形成し、すなわち、使用時に、装着者の頬及び下側周壁が滑らかな／連続的な曲面を形成することが好ましい。前述したように、多くの既知のゴーグルは装着者の顔に眼窩内で直角に当接する周壁を有する。このため、乱流及び抗力を増大させる大きく凹状になった後縁が現れる。したがって、眼窩外で装着者の頬に接触し、装着者の頬との滑らかな遷移部を形成する下側周縁を設けることによって、下側周壁に沿った水の流れを最大限に滑らかにすることができる。
【００４５】
好ましくは、前述したいずれか一つの態様によるゴーグルの各レンズ部分は、使用時に装着者の顔に対する気密を形成する内周縁へと延伸する内周壁を更に含む。この水密な密閉性は、ゴーグル内への水の浸入を防止し、装着者の不快感及び視野が損なわれることを回避する。この場合、上側周壁及び下側周壁は装着者の顔との気密を形成する必要がなく、装着者の顔に単に当接すればよい。
【００４６】
内周壁は、好ましくは、レンズ部分から実質的に垂直に後方に延伸することで装着者の顔との確実な気密を形成する。上側周壁及び下側周壁が内側壁を水の乱流から保護するため、気密の強度は水流によって損なわれない。したがって、強い気密を維持することができ、水の浸入が最小限に抑えられる。
【００４７】
第６の態様では、本発明は、上側周壁及び下側周壁をそれぞれ有する一対のレンズ部分によって定められる外面を有するゴーグルであって、各レンズ部分は、使用時に装着者の顔に対する気密を形成する各内周縁まで延伸する内周壁を更に含み、上側周壁によって定められる外面（すなわち、装着者に面しない、使用時に水に接触する面）は凸状である、ゴーグルを提供する。
【００４８】
凸状の外面を有する上側周壁を設けることによって、水が上側周壁に沿って滑らかに流れることができるため、装着者が水中を移動するときの抗力／水の抵抗を低減することができる。上側周壁は、水を（装着者の顔との気密を形成する）内周壁からそらせて、気密が損なわれないようにする。本発明者は、この効果が、ヘッドストラップを用いることなくゴーグルを装着者の顔に保持するのに十分であることを見出した。
【００４９】
好ましくは、上側周壁及び下側周壁の双方によって定められる外面は凸状である。このことは、装着者が水中を移動するときに、水が下側周壁に沿って滑らかに流れるため、水の抵抗を更に低減するのに役立つ。
【００５０】
好ましい実施形態では、各周壁によって定められる外面は、各レンズ部分によって定められる外面との滑らかな遷移部を形成し、すなわち、周壁はレンズ部分（湾曲した又は平面的な外面を有してもよい）と連続的な／滑らかな曲面によって接合し、周壁と各レンズ部分との間には急な角度変化がない。いかなる急な角度が付いた接合部も、使用中に水がゴーグルに沿って流れるときに乱流状態を生じる可能性を作り出す。
【００５１】
最も好ましくは、外面は滑らかな曲面である。例えば、レンズ部分が湾曲した外面を有する場合、ゴーグルの外面は連続的な曲面である。前述したように、この滑らかな曲面は、ゴーグルが外れることを防止するのに役立つように、ゴーグルに沿った水の滑らかな流れを容易にする。
【００５２】
第７の態様では、本発明は、上側周壁及び下側周壁をそれぞれ有する一対のレンズ部分によって定められる外面を有するゴーグルであって、各レンズ部分は、使用時に装着者の顔に対する気密を形成する各内周縁まで延伸する内周壁を更に含み、外面は滑らかな曲面である、ゴーグルを提供する。
【００５３】
上側周壁及び下側周壁によって形成される外面（すなわち、使用時に装着者に面しない面）は、各レンズ部分によって定められる外面との滑らかな遷移部を形成し、すなわち、周壁は、レンズ部分（湾曲した又は平面的な外面を有してもよい）と、滑らかな曲面によって接合し、周壁と各レンズ部分との間には急な角度変化がない。いかなる急な角度が付いた接合部も、使用中に水がゴーグルに沿って流れるときに乱流状態を生じる可能性を作り出す。本発明の第７の態様によって提供される滑らかに湾曲した外面は、ゴーグルが外れることを防止するのに役立つように、ゴーグルに沿った水の滑らかな流れを容易にする。滑らかな曲面は、抗力／水の抵抗を最小限に抑える流線形のゴーグルを提供するのにも役立つ。
【００５４】
好ましくは、滑らかな曲面は連続的な曲面であり、すなわち、レンズ部分、上側周壁及び下側周壁は全て湾曲している。
【００５５】
好ましくは、滑らかな曲面は凸状の曲面である。ゴーグルの滑らかに湾曲した凸状の外面を設けることによって、水が上側周壁に沿って滑らかに流れることができるため、装着者が水中を移動するときの抗力／水の抵抗を低減することができる。本発明者は、ゴーグルの外面が滑らかな凸状の曲面であればゴーグルからヘッドストラップを省くことができることを見出した。
【００５６】
好ましくは、全ての態様において、上側周壁及び下側周壁は大きくは撓まない剛性のプラスチック材料から形成される。この剛性は、内周壁を、いかなる水の乱流から保護するのに役立つ。
【００５７】
好ましくは、前述した全ての態様において、上側周壁及び下側周壁のそれぞれは接合されて、各レンズ部分を完全に囲む完全な周壁を形成する。好ましくは、連続的な周壁の外面全体は凸状である。これは、水の乱流を更に最小限に抑えるのに役立ち、したがって水の抵抗を最小限に抑える。
【００５８】
好ましくは、前述した全ての態様において、ゴーグルは使用時に装着者の鼻孔を覆わないものである（ダイビングマスクとは異なる）。
【００５９】
好ましくは、いずれかの態様におけるレンズ部分はノーズブリッジによって互いに接合される。最も好ましくは、レンズ部分は、固いノーズブリッジ、例えばナイロン、ポリプロピレン又はポリカーボネート等の剛性の合成樹脂材料から形成されるノーズブリッジによって互いに接合される。そのような固いノーズブリッジは、ゴーグルが撓まないため、ゴーグルと装着者の顔との間の気密を維持するのに役立つ。
【００６０】
別の実施形態では、レンズ部分は、ダイビングマスクにおいて設けられるような一つの細長いレンズを形成するように互いに直接的に接合してもよい。
【００６１】
前述した態様のいずれの特徴も、他の態様の一つ又は複数の特徴のいずれかと組み合わせることができる。
【図面の簡単な説明】
【００６２】
【図１】本発明の第１の実施形態を構成する水泳用ゴーグルの正面図である。
【図２】本発明の第１の実施形態を構成する水泳用ゴーグルの正面斜視図である。
【図３】本発明の第１の実施形態を構成する水泳用ゴーグルの後面図である。
【図４】本発明の第１の実施形態を構成する水泳用ゴーグルの側面図である。
【図５】第１の実施形態の水泳用ゴーグルが装着された状態を示す図である。
【図６】本発明の第２の実施形態のレンズ部分並びに上側周壁及び下側周壁の断面図である。
【図７】本発明の第３の実施形態を構成する水泳用ゴーグルの正面図である。
【図８】本発明の第３の実施形態を構成する水泳用ゴーグルの正面斜視図である。
【図９】本発明の第３の実施形態を構成する水泳用ゴーグルの後面図である。
【図１０】本発明の第３の実施形態を構成する水泳用ゴーグルの側面図である。
【発明を実施するための形態】
【００６３】
図１〜図４は、本発明の第１の実施形態による水泳用ゴーグル１を示す。
【００６４】
水泳用ゴーグル１は、（好ましくは熱可塑性ゴム（ＴＰＲ）で形成される）ノーズブリッジ３によって接合される（好ましくはポリカーボネートで形成される）一対のレンズ部分２を有する。
【００６５】
各レンズ部分は、上側周縁５（図３に示す）まで延伸する上側周壁４、及び下側周縁７（図３に示す）まで延伸する下側周壁６を有する。周壁は好ましくはポリカーボネートから形成される。
【００６６】
上側周壁４及び下側周壁６は、連続的であり、各レンズ部分２を完全に囲む。上側周壁４及び下側周壁６は、装着者の鼻に隣接する内側部分１０、及び装着者の耳のそれぞれに隣接する外側部分１１において交わる。外側部分には、ヘッドストラップ（図示省略）に接続される延長部１２が設けられる。
【００６７】
レンズ部分２及び周壁４、６は、ゴーグルの外面、すなわち使用時に装着者に面しない、水に接触する面を定める。
【００６８】
図４においてはっきりと分かるように、上側周壁４は凸状である。凸状の外面を有する上側周壁を設けることによって、水が上側周壁に沿って滑らかに流れることができるため（上側周壁が泳者が水中を移動するときに前縁を形成する）、装着者が水中を移動するときの抗力／水の抵抗を低減することができる。
【００６９】
図４は、下側周壁６が凸状であることも示す。このことは、装着者が水中を移動するときに水が下側周壁に沿って滑らかに流れるため、水の抵抗を更に低減するのに役立つ。
【００７０】
周壁４、６によって定められる外面は、各レンズ部分２によって定められる外面との滑らかな遷移部を形成する。すなわち、凸状の周壁４、６は、レンズ部分２と、連続的な／滑らかな曲面によって接合する（本実施形態では、レンズ部分２と、湾曲している）。凸状の周壁４、６と各レンズ部分２との間には急な角度変化がない。
【００７１】
図４では、ゴーグル１の外面が滑らかな連続的な凸面であることがはっきりと分かる。前述したように、この滑らかな曲面は、ゴーグルが外れることを防止するのに役立つように、ゴーグルに沿った水の滑らかな流れを容易にする。
【００７２】
図５に示されるように、上側周縁５は、使用時には眼窩外で装着者の額に接触し、下側周縁７は装着者の頬骨に接触する。（装着者の眼窩内において装着者に接触する眼窩内ゴーグルとは対照的な）眼窩外ゴーグルを提供することによって、装着者の眼窩を実質的に満たすゴーグルを提供することができる。これは凹部を最小限に抑えることで水の乱流が生じる可能性のある領域を最小限に抑える。したがって、このことは、（ヘッドストラップがなくても）水の抵抗及びゴーグルが外れる可能性を低減するのに役立つ。
【００７３】
上側周壁４は、装着者の額との滑らかな遷移部を形成し、すなわち装着者の額及び上側周壁４は滑らかな／連続的な曲面を形成する。これによって、突き出た前縁がゴーグルに現れないため、上側周壁に沿った水の流れを最大限に滑らかにすることができる。
【００７４】
下側周壁６は装着者の頬骨との滑らかな遷移部を形成し、すなわち、使用時に、装着者の頬及び下側周壁は滑らかな／連続的な曲面を形成する。これによって、下側周壁に沿った水の流れを最大限に滑らかにすることができる。
【００７５】
上側周縁５と下側周縁７との間の最大距離は約６０ｍｍである。これは、既知のゴーグルより大幅に長い。周縁５、７間により長い距離を設けることによって、前縁の突き出しを更に低減するのに役立ち、したがって乱流を更に低減するのに役立ち、水の抵抗及びゴーグルが外れる可能性を最小限に抑え、浅く湾曲している上側周壁４及び下側周壁６を提供することができる。
【００７６】
図５に示すように、各上側周縁５は、使用時に水泳用キャップ１４の前縁に重なる上方に延伸するタブ１３を有する。上方に延伸するタブ１３は、上側周縁５の外側（すなわち使用時に装着者の耳に近い領域）に形成されるが、代替的には、内側（すなわち使用時に装着者の鼻に近い領域）に設けられてもよい。上方に延伸するタブ１３は、使用時に装着者の額に載るように延伸し、すなわち、「上方」という用語は、使用時に周縁から装着者の額に沿って延伸する方向を指すのに用いられる。
【００７７】
これらのタブ１３は、使用時に水泳用キャップ１４の前縁に重なる（好ましくは完全に重なる）ことができるように、設けられる。このことは、ゴーグルを装着者の顔に固定するのに役立つため、例えば水中に飛び込むときに発生する力ではゴーグルが外れなくなる。
【００７８】
上側周壁４及び下側周壁６は、剛性のプラスチック材料（例えばポリカーボネート）から形成され、使用時に水密なシールを形成するのではなく、装着者の顔に当接するように置かれる。目の周りの水密なシールは、レンズ部分から実質的に垂直に延伸して内側周縁９で終端する内周壁８によって形成される。これは、レンズ部分２によって定められる外面が平面的であるという点で、第１の実施形態とは異なる第２の実施形態のレンズ部分２及び関連する周壁４、６の断面を表す図６において最もはっきりと分かる。しかし、第２の実施形態のゴーグルの外面は（レンズ部分における曲率がゼロである状態で）滑らかな凸状の曲面を依然として形成することが分かる。レンズ部分２と周壁４、６との間には急な遷移部は存在しない。
【００７９】
図７から図１０は、本発明の第３の実施形態による水泳用ゴーグル１を示す。
【００８０】
水泳用ゴーグル１は、（好ましくはナイロン等の剛性のプラスチック材料から形成される）ノーズブリッジ３によって接合される（好ましくはポリカーボネートから形成される）一対のレンズ部分２を含む。
【００８１】
各レンズ部分は上側周壁４及び下側周壁６を有する。周壁は好ましくはポリカーボネートから形成される。
【００８２】
上側周壁４及び下側周壁６は、装着者の鼻に隣接する内側部分１０において交わる。レンズ部分には、ヘッドストラップ（図示せず）に接続される延長部１２が設けられる。
【００８３】
目の周りの水密なシールは、レンズ部分から実質的に垂直に延伸して内側周縁９で終端する内周壁８によって形成される。これは図８において最もはっきりと分かる。この実施形態では、レンズ部分２によって定められる外面は凸状の曲面である。他の実施形態（図示せず）では、レンズ部分によって形成される外面は平面的にできるが、（レンズ部分における曲率がゼロである状態で）滑らかな凸状の曲面を依然として形成する。レンズ部分２と周壁４、６との間には急な遷移部は存在しない。
【００８４】
レンズ部分２及び周壁４、６は、ゴーグルの外面、すなわち使用時に装着者に面しない、水に接触する面を定める。
【００８５】
図１０においてはっきりと分かるように、上側周壁４は凸状である。凸状の外面を有する上側周壁を設けることによって、水が（泳者が水中を移動するときに前縁を形成する）上側周壁に沿って滑らかに流れることができるため、装着者が水中を移動するときの抗力／水の抵抗を低減することができる。外面は、水密なシールが損なわれないまま維持するように、水を内周壁から離すように偏向させる。本発明者は、この偏向が、いかなるヘッドストラップも用いることなくゴーグルを装着することを可能にするのに十分であることを見出した。
【００８６】
また、図１０は、下側周壁６が凸状であることを示す。このことは、装着者が水中を移動するときに、水が下側周壁に沿って滑らかに流れるため、水の抵抗を更に低減するのに役立つ。
【００８７】
周壁４、６によって定められる外面は、各レンズ部分２によって定められる外面との滑らかな遷移部を形成し、すなわち、凸状の周壁４、６は、（本実施形態では湾曲している）レンズ部分２と、連続的な／滑らかな曲面によって接合する。凸状の周壁４、６と各レンズ部分２との間には急な角度変化がない。
【００８８】
図１０では、ゴーグル１の外面が滑らかな連続的な凸面であることがはっきりと分かる。前述したように、この滑らかな曲面は、ゴーグルを装着者の顔に押し付け、（ヘッドストラップがなくても）ゴーグルが外れることを防止するのに役立つように、ゴーグルに沿った水の滑らかな流れを容易にする。
【００８９】
当業者であれば、図面に示され、前述されたゴーグルは、本明細書において記載される発明の概念を具体化する例であり、本発明から逸脱することなく多くの種々の変更をなすことができることを理解するであろう。
【図１】
2014527413.tif 000003
【図２】
2014527413.tif 000004
【図３】
2014527413.tif 000005
【図４】
2014527413.tif 000006
【図５】
2014527413.tif 000007
【図６】
2014527413.tif 000008
【図７】
2014527413.tif 000009
【図８】
2014527413.tif 000010
【図９】
2014527413.tif 000011
【図１０】
2014527413.tif 000012
【国際調査報告】
2014527413.tif 000013
2014527413.tif 000014